(57)【特許請求の範囲】
【請求項１】
機械室の床に配設した巻上機を含む機器と、この機器を電気的に接続する配線を有したエレベータ機械室の床構造において、
上記機械室の床に設置され、前記巻上機よりも長い寸法を有し、前記巻上機と前記床との間に設けられたマシンビームの少なくとも最下段よりも高い高さ寸法を有するパネル設置体と、これらのパネル設置体上に複数枚設置されるパネルとを備え、上記床とパネルの間に形成した空間を通して上記配線を設けたことを特徴とするエレベータ機械室の床構造。
【請求項２】
請求項１記載のものにおいて、
上記パネルの少なくとも一枚は、上記パネル載置体上に取り外し可能に載置したことを特徴とするエレベータ機械室の床構造。
【発明の詳細な説明】
【０００１】
【発明の属する技術分野】
本発明はエレベータ機械室の床構造に関する。
【０００２】
【従来の技術】
一般に、エレベータ機械室には、巻上機、制御盤、地震計等の計器類が設置されており、これら各機器間を電気的に接続する配線は、機械室床上に設置した約１００ｍｍ角の大きさのダクト内を通すようにしている。そのため、ダクトが機械室の床面から突出した状態になり、機械室内で保守作業する作業者がそのダクトにつまずいて転倒するなどの危険があった。
【０００３】
この危険を解消するために、従来のエレベータ機械室の床構造は、コンクリート床面をはつってダクトを埋設させたり、配線作業の終了後に機械室床面上にコンクリートを打設してコンクリート内にダクトを埋設させたりして、機械室床面上の突出物をなくすようにしていた。つまり、図２に示すように、制御盤４と信号盤１４とを電気的に接続する配線を通すダクト１５や、制御盤４と図示しない巻上機との電気的接続を行なう配線を通す可撓性ダクト１６は、床９の上面のはつり作業によって形成した凹部内に配置した後、新しくコンクリートを打設してこれらを埋設しながら床面を平坦にし、機械室内で保守作業する作業者の安全を図っている。
【０００４】
【発明が解決しようとする課題】
しかしながら、従来のエレベータ機械室の床構造は、上述の如く新しくコンクリートを打設するため、機械室の床９の重量が大きくなって、エレベータを設置した建物の許容強度に影響を及ぼしてしまったり、制御盤４などの配線を撤去する必要が生じた場合には再度はつり作業が必要となり、作業が複雑化すると共に費用や労力も多くかかってしまう。
【０００５】
本発明の目的とするところは、簡単かつ短時間に配線作業を行なうことができるエレベータ機械室の床構造を提供することにある。
【０００６】
本発明は上記目的を達成するために、機械室の床に配設した巻上機を含む機器と、この機器を電気的に接続する配線を有したエレベータ機械室の床構造において、
上記機械室の床に設置され、前記巻上機よりも長い寸法を有し、前記巻上機と前記床との間に設けられたマシンビームの少なくとも最下段よりも高い高さ寸法を有するパネル設置体と、これらのパネル設置体上に複数枚設置されるパネルとを備え、上記床とパネルの間に形成した空間を通して上記配線を設けたことを特徴とする。
【０００７】
上述したように本発明のエレベータ機械室の床構造は、複数のパネル載置体上にパネルを載置して床とパネル間に所定間隔を保つようにし、その空間部を利用して配線を通すようにしたため、配線作業のために従来のようにはつり作業やコンクリート打設作業を行なう必要がなくなり、簡単かつ短時間に配線作業を行なうことができる。さらに、前記パネル載置体の高さを、巻上機より長いマシンビームの少なくとも最下段よりも高い高さ寸法とするため、制御盤と巻上機との空間が見かけ上広くなり、作業者が足下に注意を払う床面積を実質的に広くすることができ、機械室での保守点検作業を一層円滑に行なうことができる。
【０００８】
【発明の実施の形態】
以下、本発明の実施の形態を図面によって説明する。
図１は、本発明の一実施の形態によるエレベータ機械室の床構造を示す斜視図である。
建物内に設置されたエレベータ１は、図示しない乗りかごなどを昇降可能に配置した昇降路２と、巻上機３や制御盤４などの機器を設置した機械室５とを有している。巻上機３は、最上段のマシンビーム６と、中段のマシンビーム７と、最下段のマシンビーム８を介して機械室５の床９に固定されている。床９の上面９ａには、所定の高さを有する複数個のパネル載置体１０が所定間隔で配置されており、これら各パネル載置体１０は、それらの表面を防錆塗装したアルミニウムや鉄などの金属製の円筒部１０ａと台座部１０ｂとを有して構成され、台座部１０ｂの下部面を合成樹脂製の接着剤などを用いて上面９ａに固定している。この複数個のパネル載置体１０のうち、例えば４つのパネル載置体１０を用いて１枚のパネル１１を載置して支持し、全体のパネル載置体１０の上に複数枚のパネル１１を並設している。複数個のパネル１１のうち少なくとも一つは、各パネル載置体１０の上に取り外し可能に載置しているので、必要に応じてそのパネル１１を除去することができる。各パネル１１は、巻上機３や制御盤４などの機器をできるだけ包囲するように大きさや形状を選定すると良い。
【０００９】
このようにして、パネル１１と床９の上面９ａとの間には、パネル載置体１０の軸長によって決まる所定間隔Ｇが形成されており、この所定間隔Ｇは、巻上機３の最下段のマシンビーム８がパネル１１で覆われる状態となるように設定している。こうしてパネル１１の下部に形成した所定間隔Ｇの空間部には、巻上機３と制御盤４とを電気的に接続するための配線１２と、制御盤４と昇降路２内の各機器とを電気的に接続するための配線１３とを通して布線するようにしており、新たな床となるパネル１１には配線１２，１３が配置されていない。
【００１０】
このようにエレベータ機械室の床構造は、床９の上面９ａに所定間隔Ｇを保って複数枚のパネル１１を設け、所定間隔Ｇの空間部を利用して配線１２，１３を通すようにしたため、作業後の床となるパネル１１上には配線１２，１３がないから、作業者がつまずくことがない。また従来のように配線作業のためのはつり作業やコンクリート打設作業を行なう必要がないので、作業は簡単になりリニューアル後の床９の重量を増大することもない。また、複数枚のパネル１１を敷設するに際して、巻上機３の最下段のマシンビーム８を覆うような高さで敷き詰めるようにしたため、制御盤４と巻上機３との空間が見かけ上広くなり、作業者が足下に注意を払う床面積を実質的に広くすることができるので、機械室５での保守点検作業を一層円滑に行なうことができる。また、巻上機３や制御盤４等の機器を撤去する際には、取り外し可能なパネル１１の必要部分をパネル載置枠体１０から取り外すことによって、はつり作業をすることなく配線１２や１３を撤去することができる。
【００１１】
尚、上述した実施の形態では、巻上機３の最下段のマシンビーム８をパネル１１で覆うようにしたが、パネル１１の高さは任意に設定することができる。
【００１２】
【発明の効果】
以上説明したように本発明によるエレベータ機械室の床構造は、床の上面に所定高さの複数個のパネル載置体を配置し、これらのパネル載置体上に複数枚のパネルを載置し、床の上面とパネル間に形成した空間部を利用して配線するようにしたため、従来のように配線作業のためのはつり作業やコンクリート打設作業を行なう必要がなくなり、簡単かつ短時間に配線作業を行なうことができる。
【図面の簡単な説明】
【図１】本発明の一実施の形態によるエレベータ機械室の床構造を示す斜視図である。
【図２】従来のエレベータ機械室の床構造を示す斜視図である。
【符号の説明】
３  巻上機
５  機械室
８  マシンビーム
９  床
９ａ  上面
１０  パネル載置体
１１  パネル
１２，１３  配線
【図１】
0003784510.tif 000002
【図２】
0003784510.tif 000003